(57)【要約】【課題】  画像がプリントされた製品を作成する際に、製品の製作を容易に行うことができる製品製作システム及び製品製作方法を提供することを目的とする。【解決手段】  製品製作システムＳは、端末装置１、サーバ２、及び製作部門３から構成されており、それらはネットワーク４によって接続されている。そして、端末装置１は、画像データＧＤが入力される画像データ入力部１１を備えており、サーバ２は、画像データ入力部１２により入力された画像データを記憶する画像データ記憶部２２と、画像データ記憶部２２に記憶されている画像データ群から、画像データＧＤを選択する画像データ選択部２３と、画像データ選択部２３により選択された画像データＧＤと、所定の品目データＩＤとを組み合わせて製品データＰＤを作成する製品データ作成部２７とを備えている。【選択図】      図１
2005141640.tif 000002
【特許請求の範囲】
【請求項１】
画像データが経時的に入力される画像データ入力部と、前記画像データ入力部に入力された画像データを記憶する画像データ記憶部と、前記画像データ記憶部に記憶されている画像データ群から、画像データを選択する画像データ選択部と、複数の品目データを記憶している品目データ記憶部と、前記画像データ選択部により選択された画像データと、所定の品目データとを組み合わせて製品データを作成する製品データ作成部とを備えていることを特徴とする製品製作システム。
【請求項２】
前記品目データ記憶部に記憶されている品目データ群から、品目データを選択する品目データ選択部とをさらに備え、前記製品データ作成部は、前記画像データ選択部により選択された画像データと、前記品目データ選択部により選択された品目データとを組み合わせて製品データを作成することを特徴とする請求項１に記載の製品製作システム。
【請求項３】
前記画像データ選択部により選択された画像データを編集する画像データ編集部をさらに備え、前記製品データ作成部は、前記画像データ編集部により編集された画像データと、所定の品目データとを組み合わせて製品データを作成することを特徴とする請求項１に記載の製品製作システム。
【請求項４】
品目データ記憶部には、アルバム、半生記、自分史等の印刷物を含むことを特徴とする請求項１〜３のいずれか１項に記載の製品製作システム。
【請求項５】
画像データを入力する画像データ入力ステップと、前記画像データ入力ステップにおいて入力された画像データを画像データ記憶部に記憶させる画像データ記憶ステップと、前記画像データ記憶部に記憶されている画像データ群から、画像データを選択する画像データ選択ステップと、前記画像データ選択ステップにおいて選択された画像データと、所定の品目データとを組み合わせて製品データを作成する製品データ作成ステップとを含むことを特徴とする製品製作方法。
【請求項６】
品目データ記憶部に記憶されている複数の品目データから、品目データを選択する品目データ選択ステップをさらに含み、前記製品データ作成ステップは、前記画像データ選択ステップにおいて選択された画像データと、前記品目データ選択ステップにおいて選択された品目データとを組み合わせて製品データを作成することを特徴とする請求項５に記載の製品製作方法。
【請求項７】
前記画像データ選択ステップにおいて選択された画像データを編集する画像データ編集ステップをさらに含み、前記製品データ作成ステップは、前記画像データ編集ステップにより編集された画像データと、所定の品目データとを組み合わせて製品データを作成することを特徴とする請求項５に記載の製品製作方法。
【請求項８】
品目データ記憶部に記憶されている複数の品目データから、品目データを選択する品目データ選択ステップにおいて、アルバム、半生記、自分史等の印刷物を選択することを特徴とする請求項６に記載の製品製作方法。
【発明の詳細な説明】
【技術分野】
【０００１】
この発明は、製品製作システム及び製品製作方法に関し、詳しくは、画像がプリントされた製品を製作するためのシステムに関する。
【背景技術】
【０００２】
従来、画像がプリントされた製品を製作する際は、その製品を所望する者（依頼者は）、その製品の製作者に対して、「商品にプリントする画像」、「画像を商品にプリントする際のレイアウトやデザイン」、及び「画像をプリントする商品」を指定し、製作者は、依頼者からの指定に基づいて製品を製作していた。なお、この種の従来技術としては、特許文献１に開示されている「製品販売方法」がある。
【特許文献１】特開２００２−２９７９６５号公報（段落０００８〜００１３、図１）
【発明の開示】
【発明が解決しようとする課題】
【０００３】
しかし、従来の製品製作手法では、画像がプリントされた製品を作成する際は、依頼者は、製作者に対して、「商品にプリントする画像」、「画像を商品にプリントする際のレイアウトやデザイン」、及び「画像をプリントする商品」を指定する必要がある。そして、画像は予め登録されているものの中から選択するか、プリントする画像をその都度送らなければならなかった。また、例えば、製品であるアルバムに、経時的に撮影された写真をプリントして、記念アルバムを製作したい場合は、依頼者は、製作時にそれらの画像をまとめて一括送付する必要があるため、大変面倒であった。また、従来は、自分で保存しておいた写真は、消滅したり変色したりするおそれがある。また、従来は、経時的に撮影した写真等をインターネットを介して随時整理しながら保存するシステムはなかった。このように、従来の製品製作手法では、画像がプリントされた製品を作成する際に、製品の製作を容易に行うことができないという問題があった。
【０００４】
そこで、この発明は、画像がプリントされた製品を作成する際に、製品の製作を容易に行うことができる製品製作システム及び製品製作方法を提供することを目的とする。
【課題を解決するための手段】
【０００５】
この発明に係る製品製作システムは、画像データが入力される画像データ入力部と、前記画像データ入力部により入力された画像データを記憶する画像データ記憶部と、前記画像データ記憶部に記憶されている画像データ群から、画像データを選択する画像データ選択部と、複数の品目データを記憶している品目データ記憶部と、前記画像データ選択部により選択された画像データと、所定の品目データとを組み合わせて製品データを作成する製品データ作成部とを備えている。
【０００６】
前記システムには、前記品目データ記憶部に記憶されている品目データ群から、品目データを選択する品目データ選択部とをさらに備え、前記製品データ作成部は、前記画像データ選択部により選択された画像データと、前記品目データ選択部により選択された品目データとを組み合わせて製品データを作成するように構成することが好ましい。
【０００７】
また、前記システムには、前記画像データ選択部により選択された画像データを編集する画像データ編集部をさらに備え、前記製品データ作成部は、前記画像データ編集部により編集された画像データと、所定の品目データとを組み合わせて製品データを作成するように構成することが好ましい。品目データ記憶部には、アルバム、半生記、自分史等の印刷物を含む。
【０００８】
また、この発明に係る製品製作方法は、画像データを入力する画像データ入力ステップと、前記画像データ入力ステップにおいて入力された画像データを画像データ記憶部に記憶させる画像データ記憶ステップと、前記画像データ記憶部に記憶されている画像データ群から、画像データを選択する画像データ選択ステップと、前記画像データ選択ステップにおいて選択された画像データと、所定の品目データとを組み合わせて製品データを作成する製品データ作成ステップとを含んでいる。
【０００９】
前記製品制作方法には、品目データ記憶部に記憶されている複数の品目データから、品目データを選択する品目データ選択ステップをさらに含み、前記製品データ作成ステップは、前記画像データ選択ステップにおいて選択された画像データと、前記品目データ選択ステップにおいて選択された品目データとを組み合わせて製品データを作成するようにすることが好ましい。
【００１０】
また、前記製品制作方法には、前記画像データ選択ステップにおいて選択された画像データを編集する画像データ編集ステップをさらに含み、前記製品データ作成ステップは、前記画像データ編集ステップにより編集された画像データと、所定の品目データとを組み合わせて製品データを作成するようにすることが好ましい。品目データ記憶部に記憶されている複数の品目データから、品目データを選択する品目データ選択ステップにおいては、アルバム、半生記、自分史等の印刷物を選択することができる。
【発明の効果】
【００１１】
この発明に係る製品製作システム及び製品製作方法によれば、画像がプリントされた製品を作成する際に、製品の製作を容易に行うことが可能になる。
【発明を実施するための最良の形態】
【００１２】
以下、この発明の実施形態について、適宜図面を参照して詳細に説明する。なお、この発明に係る製品製作システム及び製品製作方法は、画像がプリントされた製品を製作するためのシステム及び方法である。なお、以下の説明では、ユーザが、子供の写真（画像）がプリントされたマグカップ（商品）を製作する場合を想定している。
【００１３】
（製品製作システム）
まず、製品製作システムについて、図１〜図４を参照して説明する。
図１は、製品製作システムＳの構成図である。図１に示すように、製品製作システムＳは、端末装置１、サーバ２、及び製作部門３から構成されており、それらはネットワーク４によって接続されている。以下、製品製作システムＳの各部について説明する。
【００１４】
（端末装置１）
端末装置１は、ユーザが操作する装置であり、画像データが入力される画像データ入力部１１と、サーバ２とデータの送受信を行うためのデータ送受信部１２を備えている。なお、データ送受信部１２及び画像データ入力部１１は、図示しない制御部によりその動作を制御されている。
【００１５】
例えば、ユーザである親は、機会があるたびに、画像データ入力部１１に、画像データである「子供の写真」を入力する。なお、「画像データ」とは、静止画像データや動画像データなどのことである。本実施形態では、「画像データ」としては、静止画像データである「デジタルカメラで撮影した写真」を想定している。なお、「子供の写真」としては、例えば、誕生日、入学式、運動会、遠足、学芸会、修学旅行、卒業式などに撮影した写真が挙げられる。また、日常や旅行時などに撮影した写真や、子供が社会人となった後の、入社式、結婚、出産などに撮影した写真も挙げられる。
【００１６】
画像データ入力部１１に入力された画像データ（写真）は、データ送受信部１２によりサーバ２に送信される。なお、画像データには、その画像データの属性情報を添付しておく。属性情報としては、その画像データの「内容」、「撮影した日時」、「コメント」などが挙げられる。
【００１７】
また、ユーザは、データ送受信部１２を介して、後記するサーバ２の画像データ選択部２３、品目データ選択部２５、及び画像データ編集部２６に対して命令を送信することができる。つまり、ユーザは、端末装置１から、サーバ２の画像データ選択部２３、品目データ選択部２５、及び画像データ編集部２６を操作することができる。詳細については後記する。
【００１８】
（サーバ２）
サーバ２は、データ送受信部２１、画像データ記憶部２２、画像データ選択部２３、画像データ編集部２４、品目データ記憶部２５、品目データ選択部２６、製品データ作成部２７を備えている。なお、各部は、図示しない制御部によりその動作を制御されている。
【００１９】
データ送受信部２１は、端末装置１及び製作部門３と、データの送受信を行う。具体的には、端末装置１のデータ送受信部１２から送信された画像データ及び命令を受信する。また、製品データ作成部２７により作成された製品データを、製作部門３に送信する。
【００２０】
画像データ記憶部２２は、データ送受信部２１が受信した画像データを記憶するためのものである。図２は、画像データ記憶部２２に記憶されている画像データＧＤ（graphics  Data : GD）の一例を示す表である。図２に示すように、各画像データＧＤは、その画像データＧＤの属性情報である「内容」、「撮影した日時」、「コメント」と共に記憶されている。
【００２１】
画像データ選択部２３は、画像データ記憶部２２に記憶されている画像データ群（画像データＧＤ１、ＧＤ２、ＧＤ３、……）から、１つ又は複数の画像データＧＤを選択するためのものである。ユーザは、端末装置１からこの画像データ選択部２３を操作することにより、画像データ記憶部２２に記憶されている画像データ群から、１つ又は複数の画像データＧＤを選択することができる。
【００２２】
例えば、ユーザが、「幼稚園の入学式の写真」である「画像データＧＤ２」を選択したい場合は、端末装置１のデータ送受信部１２からこの画像データ選択部２３に、「画像データＧＤ２を選択する」という命令を送信することにより、画像データ記憶部２２に記憶されている画像データ群から、「画像データＧＤ２」を選択することができる。画像データ選択部２３で選択された画像データＧＤは、画像データ編集部２４に送られる。
【００２３】
画像データ編集部２４は、画像データ選択部２３により選択された画像データＧＤを編集するためのものである。ユーザは、端末装置１からこの画像データ編集部２４を操作することにより、画像データＧＤを編集することができる。具体的には、画像を商品にプリントする際のレイアウトやデザインを選択することができる。なお、レイアウトとは、画像を商品にプリントする位置や配置などのことである。また、デザインとは、画像を商品にプリントする際の形状や色合いなどのことである。
【００２４】
また、この画像データ編集部２４は、画像に所望する文字を付加することもできる。その際は、文字に関する情報（字体、大きさ、色など）も自在に選択することができる。この画像データ編集部２４により編集された画像データＧＤは、画像データＧＤ´となる。画像データ編集部２４で編集された画像データＧＤ´は、製品データ作成部２７に送られる。
【００２５】
品目データ記憶部２５は、予め、複数の品目データを記憶している。なお、「品目データ」とは、「商品の種類を示すデータ」のことである。図３は、品目データ記憶部２５に記憶されている品目データＩＤ（Item Data : ID）の一例を示す表である。図３に示すように、品目データとしては、例えば、アルバム（ＩＤ１）、キーホルダー（ＩＤ２）、マグカップ（ＩＤ３）、タオル（ＩＤ４）がある。即ち、前記品目データには、キーホルダー（ＩＤ２）、マグカップ（ＩＤ３）、タオル（ＩＤ４）のような既商品の他に、アルバム、記録史、半生記、自分史等の印刷物のように、これから製作する商品も含む。
【００２６】
品目データ選択部２６は、品目データ記憶部２５に記憶されている品目データ群（例えば、品目データＩＤ１〜ＩＤ４）から、１つ又は複数の品目データＩＤを選択するためのものである。ユーザは、端末装置１からこの品目データ選択部２６を操作することにより、データ送受信部１２からこの品目データ選択部２６に命令を送信することにより、品目データ記憶部２５に記憶されている品目データ群から、１つ又は複数の品目データを選択することができる。
【００２７】
例えば、ユーザが、製品の種類として「マグカップ（品目データＩＤ３）」を選択したい場合は、端末装置１のデータ送受信部１２からこの品目データ選択部２６に、「品目データＩＤ３を選択する」という命令を送信することにより、画像データ記憶部２５に記憶されている品目データ群から、「品目データＩＤ３」を選択することができる。品目データ選択部２６で選択された品目データＩＤは、製品データ作成部２７に送られる。
【００２８】
製品データ作成部２７は、画像データ選択部２３により選択され、画像データ編集部２４により編集された「画像データＧＤ´」と、品目データ選択部２６により選択された「品目データＩＤ」とを組み合わせて、「製品データ」を作成する。なお、「製品データ」とは、「どの画像データＧＤを、どの製品に、どのようにプリントするかを示すデータ」のことである。なお、前記製品データ作成部２７では、「画像データＧＤ´」を品目データＩＤに組み合わせる位置や大きさは、予め規制されているものではなく、ユーザが任意の位置に任意の大きさにデザインすることができる。
【００２９】
例えば、画像データ選択部２３により選択され、画像データ編集部２６により編集された画像データＧＤ´が「画像データＧＤ２´：幼稚園の入学式の写真」であり、品目データ選択部２６により選択された品目データＩＤが「品目データＩＤ３：マグカップ」である場合は、図４に示すように、「画像データＧＤ２´」と「品目データＩＤ３」とを組み合わせて、製品データＰＤ（Product Data : PD）を作成する。製品データ作成部２７で作成された製品データＰＤは、データ送受信部２１により製作部門３に送信される（図１参照）。
【００３０】
製作部門３では、サーバ２から受信した製品データＰＤに基づいて、画像がプリントされた製品を製作する。例えば、製品データＰＤが、「画像データＧＤ２´：幼稚園の入学式の写真」と「品目データＩＤ３：マグカップ」を含んでいる場合は、「マグカップ」に「幼稚園の入学式の写真（画像データ編集部２６により編集され画像データ）」をプリントする。なお、本実施形態では、ユーザが製品製作の依頼者であり、製作部門３がその製品の製作者である場合を想定している。製作部門３で製作された製品（画像がプリントされた製品）は、流通ルートを介してユーザの元に届けられる。また、製品の代金などは、適宜清算される。
【００３１】
（製品の製作方法）
次に、前記した製品製作システムＳを使用して行う「製品の製作方法」について、図５に示すフローチャートを参照して説明する。
【００３２】
まず、ステップＳ１では、ユーザが、端末装置１の画像データ入力部１１に画像データＧＤを入力する。次に、ステップＳ２では、端末装置１のデータ送受信部１２が、画像データ入力部１１に入力された画像データＧＤをサーバ２に送信する。
【００３３】
続いて、ステップＳ３では、サーバ２のデータ送受信部２１が、端末装置１のデータ送受信部１２から送信された画像データＧＤを受信する。そして、ステップＳ４では、サーバ２の画像データ記憶部２２が、データ送受信部２１が受信した画像データＧＤを記憶する。
【００３４】
次に、ステップＳ５では、ユーザが、端末装置１からサーバ２の画像データ選択部２３を操作して、画像データ記憶部２２に記憶されている画像データ群（図２参照）から、１つ又は複数の画像データＧＤを選択する。画像データ選択部２３で選択された画像データＧＤは、画像データ編集部２４に送られる。
【００３５】
続いて、ステップＳ６では、ユーザが、端末装置１からサーバ２の画像データ編集部２４を操作して、先のステップＳ５において選択された画像データＧＤを編集する。画像データ編集部２４で編集された画像データＧＤ´は、製品データ作成部２７に送られる。
【００３６】
次に、ステップＳ７では、ユーザが、端末装置１からサーバ２の品目データ選択部２６を操作して、品目データ記憶部２５に記憶されている品目データ群（図３参照）から、一つ又は複数の品目データＩＤを選択する。画像データ選択部２３で選択された品目データＩＤは、製品データ作成部２７に送られる。
【００３７】
続くステップＳ８では、ユーザが、端末装置１からサーバ２の製品データ作成部２７を操作して、先のステップＳ６において編集された「画像データＧＤ´」と、先のステップＳ７において選択された「品目データＩＤ」とを組み合わせて、「製品データＰＤ」を作成する。製品データ作成部２７で作成された製品データＰＤは、データ送受信部２１により製作部門３に送信される（図１参照）。
【００３８】
そして、ステップＳ９では、製作部門３が、サーバ２から受信した製品データＰＤに基づいて、画像がプリントされた製品を製作する。製作部門３で製作された製品は、流通ルートを介してユーザの元に届けられる。また、製品の代金などは、適宜清算される。
【００３９】
以上説明したように、この発明に係る製品製作システム及び製品製作方法によれば、ユーザが、機会があるたびに、端末装置１の画像データ入力部１１に画像データＧＤを入力して、サーバ２の画像データ記憶部２２に画像データＧＤを記憶させておけば、必用なときに、その画像データがプリントされた製品を製作することができる。また、製品を製作する際に、サーバ２の画像データ選択部２３、品目データ選択部２５、及び画像データ編集部２６を操作して、「製品にプリントする画像データ（写真）」、「画像（写真）を製品にプリントする際のレイアウトやデザイン」、及び「画像（写真）をプリントする製品の種類」を自在に選択することができる。
【００４０】
なお、端末装置１からサーバ２への画像データＧＤの送信、及び端末装置１からのサーバ２の各部の操作は、インターネット４を介して行われるので、ユーザは、サーバ２の画像データ記憶部２２に画像データＧＤを記憶させることと、サーバ２の各部の操作を、容易に行うことができる。
【００４１】
そして、ユーザが、サーバ２の製品データ作成部２７において、サーバ２の画像データ選択部２３、品目データ選択部２５、及び画像データ編集部２６で選択又は編集されたデータ（画像データＧＤ（ＧＤ´）、品目データＩＤ）に基づいて、製品を作成するためのデータである「製品データＰＤ」を作成する。次いで、製作部門３が、その製品データＰＤに基づいて、画像がプリントされた製品を製作する。
【００４２】
したがって、ユーザである親は、機会があるたびに、端末装置１の画像データ入力部１１に画像データＧＤである「子供の写真」を入力して、その「子供の写真」をサーバ２の画像データ記憶部２２に経時的に記憶させておけば、その後、例えば何かの記念日に、端末装置１からサーバ２の各部を操作することにより、所望する画像がプリントされた製品を製作することができる。
【００４３】
なお、画像データＧＤ及び製品データは、ユーザの個人的なデータであるため、他者から閲覧されることは好ましくない。そのため、画像データＧＤ及び製品データを送受信する際は、暗証番号やパスワードなどによってユーザを認証するように構成しておくとよい。同様に、端末装置１からサーバ２の各部を操作する際も、暗証番号やパスワードなどによってユーザを認証するように構成しておくとよい。
【００４４】
また、この発明によれば、例えば、ユーザが自分の写真（例えば、出産から退職までの写真）をサーバ２の画像データ記憶部２２に経時的に記憶させておけば、その後、画像データ記憶部２２に記憶されている写真群から所望する写真を選択して、商品であるアルバムにプリントすれば、半生記や自分史などの自分の記録史を製作することができる。
【００４５】
同様に、ユーザが、例えば、学校のクラブ活動の様子を撮影した写真をサーバ２の画像データ記憶部２２に経時的に記憶させておけば、その後、画像データ記憶部２２に記憶されている写真群から所望する写真を選択して、商品であるアルバムにプリントすれば、学校のクラブ活動をまとめた記念アルバムを製作することができる。
【００４６】
このように、この発明によれば、ユーザが画像データＧＤをサーバ２の画像データ記憶部２２に経時的に記憶させておけば、その後、画像データ記憶部２２に記憶されている写真群から所望する写真を選択して、アルバムにプリントすることにより、記録史や記念アルバムを容易に製作することができる。この場合、「アルバムにプリントする写真」、及び「写真をアルバムにプリントする際のレイアウトやデザイン」は、サーバ２の画像データ選択部２３、及び画像データ編集部２６を操作することにより自在に選択することができる。なお、写真をプリントする商品としてアルバム以外の商品を用いても、もちろん構わない。
【００４７】
以上、この発明の実施形態について説明したが、この発明は前記した実施形態のみに限定されるものではなく、この発明の技術的思想に基づく限り、種々の変形が可能である。
【００４８】
例えば、前記した実施形態では、製品データ作成部２７で作成された製品データＰＤは、データ送受信部２１により製作部門３に送信したが、このときに、製品データＰＤを端末装置１に送信し、ユーザの確認を求めるように構成してもよい。
【００４９】
また、前記した実施形態では、画像データ選択部２３により１つの画像データＧＤを選択したが、複数の画像データＧＤを選択することもできる。その場合は、商品にどの画像をプリントするのかは、適宜設定すればよい。例えば、画像データＧＤを２つ選択した場合は、「第１の画像データＧＤをプリントした製品」と、「第２の画像データＧＤをプリントした製品」とを製作することが可能になる。
【００５０】
また、前記した実施形態では、品目データ選択部２３により１つの品目データＩＤを選択したが、複数の品目データＩＤを選択しても構わない。その場合は、画像をどの商品にプリントするのかは、適宜設定すればよい。例えば、品目データＩＤを２つ選択した場合は、同じ画像がプリントされた、「第１の製品」と「第２の製品」とを製作することが可能になる。
【００５１】
なお、複数の画像データＧＤと、複数の品目データＩＤとを選択した場合は、どの商品にどの画像をプリントするのかを設定する必要がある。
【図面の簡単な説明】
【００５２】
【図１】製品製作システムＳの構成図である。
【図２】画像データ記憶部２２に記憶されている画像データ群の一例を示す表である。
【図３】品目データ記憶部２５に記憶されている品目データ群の一例を示す表である。
【図４】製品データＰＤを作成する方法を説明するための概念図である。
【図５】製品製作方法を説明するためのフローチャートである。
【符号の説明】
【００５３】
Ｓ    製品製作システム
１    端末装置
１１  画像データ入力部
１２  データ送受信部
２    サーバ
２１  データ送受信部
２２  画像データ記憶部
２３  画像データ選択部
２４  画像データ編集部
２５  品目データ記憶部
２６  品目データ選択部
２７  製品データ作成部
３    製作部門
４    ネットワーク
【図１】
2005141640.tif 000003
【図２】
2005141640.tif 000004
【図３】
2005141640.tif 000005
【図４】
2005141640.tif 000006
【図５】
2005141640.tif 000007